(57)【特許請求の範囲】
【請求項１】
供試体に機械的に接続可能な動力発生部と、
前記動力発生部の駆動力を吸収し、前記供試体に機械的に接続可能なダイナモメータと、
前記ダイナモメータが発生した実トルク値を検出するトルク検出器と、
加速により変化し得る、前記ダイナモメータの目標速度値を微分して加速度値を得、前記微分により得られた加速度値に基づき、前記ダイナモメータの目標トルク値を算出し、前記目標トルク値が、前記トルク検出器により検出された前記実トルク値に近づくように、前記動力発生部の駆動を制御する制御手段と、
前記ダイナモメータの実回転速度を検出する検出器と、
前記検出器により検出された前記実回転速度から、模擬された車両の速度値を算出し、前記目標速度値と前記模擬された車両の速度値との速度差を得、前記速度差である補正加速度値を前記微分により得られた加速度値に加算することによって、前記目標速度値が、前記模擬された車両の速度値に近づくように、前記微分により得られた加速度値を補正する補正手段と
を具備する車両動力系の試験装置。
【請求項２】
請求項１に記載の車両動力系の試験装置であって、
前記検出器により検出された前記実回転速度から、模擬された車両の速度値を算出し、前記模擬された車両の速度値に基づき、走行抵抗トルク値を算出する走行抵抗トルク算出手段をさらに具備し、
前記制御手段は、補正された加速度値に所定の車体慣性を乗じることで加速トルク値を得、得られた加速トルク値に、前記走行抵抗トルク算出手段により得られた前記走行抵抗トルク値を加えることで、前記目標トルク値を得る
車両動力系の試験装置。
【請求項３】
供試体に機械的に接続可能な動力発生部の駆動力を吸収する、前記供試体に機械的に接続可能なダイナモメータが発生した実トルク値を、トルク検出器により検出し、
加速により変化し得る、前記ダイナモメータの目標速度値を微分して加速度値を得、
前記微分により得られた加速度値に基づき、前記ダイナモメータの目標トルク値を算出し、
前記目標トルク値が、前記トルク検出器により検出された前記実トルク値に近づくように、前記動力発生部の駆動を制御し、
前記ダイナモメータの実回転速度を検出し、
前記検出された前記実回転速度から、模擬された車両の速度値を算出し、
前記目標速度値と前記模擬された車両の速度値との速度差を得、
前記速度差である補正加速度値を前記微分により得られた加速度値に加算することによって、前記目標速度値が、前記模擬された車両の速度値に近づくように、前記微分により得られた加速度値を補正する
車両動力系の試験装置の制御方法。
【発明の詳細な説明】
【技術分野】
【０００１】
本発明は、例えば車両のエンジンやトランスミッション等の動力系を試験する試験装置及びその制御方法に関する。
【背景技術】
【０００２】
例えば電気自動車等の車両の動力系を試験する試験装置では、エンジンの代わりにモータが用いられ、車両に発生する走行抵抗の代わりにそのモータの動力を吸収するダイナモメータが用いられる。この場合、ダイナモの回転速度は、車両のタイヤの回転速度に相当する。
【０００３】
特許文献１の試験装置では、ダイナモメータである動力吸収部（５）がモータ（４）に機械的に接続され、速度センサ（９）によりその動力吸収部（５）の実速度が検出される。トルクセンサ（８）により得られるトルクから、車両速度演算部（１０）により車両の速度が演算により算出される。この演算により求められた車両速度は、実際に計測されたトルクから求められ、実際の車両速度に相当する。運転パターン発生器（１２）は車両の目標速度を発生する。そして、車速追従制御部（１３）は、車両速度演算部（１０）からの実際の車両速度が、その目標速度に一致するように、アクセル操作量またはブレーキ操作量を算出し、これをトルク指令としてモータ制御部（３）に出力する（例えば、特許文献１の段落[００１１]〜[００１３]、図１参照。）。
【先行技術文献】
【特許文献】
【０００４】
【特許文献１】特開２００１−９１４１０号公報
【発明の概要】
【発明が解決しようとする課題】
【０００５】
しかしながら、特許文献１の試験装置では、トルクセンサ（９）から実際に検出されるトルクに基づいて演算により車両速度を求めているため、フィードバック制御の応答が遅れ、精度の良い制御を行うことができない、という問題がある。
【０００６】
また、例えば速度センサ（９）により得られる動力吸収部（５）の実速度が目標速度に一致するように、モータ制御部（３）にトルク指令を出力することにより、速度制御を行う方法も考えられる。しかしながら、目標速度が加速中（または減速中）のときは、それに応じて、速度センサ（９）により検出される動力吸収部（５）の実速度から加速度を算出して目標速度に追従する必要がある。この場合、フィードバック制御の応答が遅れ、実速度を目標速度に一致させることが難しい。
【０００７】
以上のような事情に鑑み、本発明の目的は、応答遅れを抑制し、吸収側の動力部であるダイナモメータの速度を高精度に制御することができる、動力系の試験装置及びその制御方法を提供することにある。
【課題を解決するための手段】
【０００８】
上記目的を達成するため、本発明の一形態に係る車両動力系の試験装置は、動力発生部と、ダイナモメータと、トルク検出器と、制御手段とを具備する。
前記動力発生部は、供試体に機械的に接続可能である。
前記ダイナモメータは、前記動力発生部の駆動力を吸収し、前記供試体に機械的に接続可能である。
前記トルク検出器は、前記ダイナモメータが発生した実トルク値を検出する。
前記制御手段は、加速により変化し得る、前記ダイナモメータの目標速度値を微分して加速度値を得、前記微分により得られた加速度値に基づき、前記ダイナモメータの目標トルク値を算出し、前記目標トルク値が、前記トルク検出器により検出された前記実トルク値に近づくように、前記動力発生部の駆動を制御する。
【０００９】
動力の入力側に設けられた動力発生部に供試体を介して接続された、動力の吸収側に設けられたダイナモメータは、車両の車輪を模擬したものである。ダイナモメータが発生する実トルク値は、その車輪のトルク値を模擬したものである。本発明は、トルク検出器により検出されたダイナモメータの実トルク値を用いて、動力発生部の速度を適切に制御することにより、その動力発生部に供試体を介して接続されたダイナモメータの速度を適切に制御しようとするものである。制御手段により、目標速度値の微分演算により得られた加速度値に基づき目標トルク値が算出される。この目標速度値は既知の情報であるので、目標速度値が微分された値である加速度値もほとんど遅延なく得ることができる値となる。すなわち、実際にダイナモメータの加速度値を検出する必要がない。そして、遅延なく得られる加速度値に基づき目標トルク値が算出され、算出された目標トルク値が実トルク値に近づくように動力発生部の駆動が制御されることで、結果的にダイナモメータの速度が制御される。つまり、本発明では、このように遅延なく得られる加速度値を用いて制御が行われることにより、制御の応答遅れを抑制することができ、高精度にダイナモメータの速度を制御することができる。
【００１０】
本発明において、「加速」は正の加速の意味に限られず、負の加速である減速の意味も含まれる。このことは、これ以降に記載された発明においても同様である。
【００１１】
前記車両動力系の試験装置は、検出器と、補正手段とを具備してもよい。
前記検出器は、前記ダイナモメータの実回転速度を検出する。
前記補正手段は、前記検出器により検出された前記実回転速度から、模擬された車両の速度値を算出し、前記目標速度値が、前記模擬された車両の速度値に近づくように、前記微分された加速度値を補正する。
【００１２】
ダイナモメータの実回転速度は、車両の車輪の回転速度を模擬したものであり、検出器によりこの実回転速度が検出される。補正手段により、目標速度値が、実回転速度に基づき算出された速度値に近づくように、微分された加速度値が補正されるので、目標速度値と、実回転速度から得られる車両の速度値との誤差を小さくすることができる。したがって、制御手段による高精度な制御が可能となる。
【００１３】
検出器は、ダイナモメータの回転角度を検出する角度検出器と、その回転角度を微分して回転速度を得る微分器とを有するものであってもよい。その場合、角度検出器と微分器とが一体でもよいし、別体でもよい。
【００１４】
前記車両動力系の試験装置は、走行抵抗トルク算出手段をさらに具備してもよい。前記走行抵抗トルク算出手段は、前記検出器により検出された前記実回転速度から、模擬された車両の速度値を算出し、前記模擬された車両の速度値に基づき、走行抵抗トルク値を算出する。この場合、制御手段は、前記微分により得られた前記加速度値に所定の車体慣性を乗じることで加速トルク値を得、得られた加速トルク値に、前記走行抵抗トルク算出手段により得られた前記走行抵抗トルク値を加えることで、前記目標トルク値を得る。
【００１５】
本発明では、上記発明と同様に、検出器により、車両の車輪の回転速度に相当する実回転速度が検出される。走行抵抗トルク算出手段が、実回転速度に基づき、模擬された車両の速度値を算出し、制御手段が加速トルク値及び走行抵抗トルク値を算出することで、より正確な目標トルク値を得ることができる。
【００１６】
本発明の一形態に係る、車両動力系の試験装置の制御方法は、供試体に機械的に接続可能な動力発生部の駆動力を吸収する、前記供試体に機械的に接続可能なダイナモメータが発生した実トルク値を、トルク検出器により検出する。
加速により変化し得る、前記ダイナモメータの目標速度値を微分して加速度値が得られる。
前記微分により得られた加速度値に基づき、前記ダイナモメータの目標トルク値が算出される。
前記目標トルク値が、前記トルク検出器により検出された前記実トルク値に近づくように、前記動力発生部の駆動が制御される。
【００１７】
動力の入力側に設けられた動力発生部に供試体を介して接続された、動力の吸収側に設けられたダイナモメータは、車両の車輪を模擬したものである。ダイナモメータが発生する実トルク値は、その車輪のトルク値を模擬したものである。本発明は、検出されたダイナモメータの実トルク値を用いて、動力発生部の速度を適切に制御することにより、その動力発生部に供試体を介して接続されたダイナモメータの速度を適切に制御しようとするものである。目標速度値の微分演算により得られた加速度値に基づき目標トルク値が算出される。この目標速度値は既知の情報であるので、目標速度値が微分された値である加速度値もほとんど遅延なく得ることができる値となる。すなわち、実際にダイナモメータの加速度値を検出する必要がない。そして、遅延なく得られる加速度値に基づき目標トルク値が算出され、算出された目標トルク値が実トルク値に近づくように動力発生部の駆動が制御されることで、結果的にダイナモメータの速度が制御される。つまり、本発明では、このように遅延なく得られる加速度値を用いて制御が行われることにより、制御の応答遅れを抑制することができ、高精度にダイナモメータの速度を制御することができる。
【００１８】
上記「微分」、「ダイナモメータの目標トルク値を算出」及び「動力発生部の駆動を制御」の各ステップは、その演算処理のためのソフトウェア（を備えるコンピュータ）により実行されてもよいし、または、その演算処理のためのハードウェアを備える機器により実行されてもよい。
【発明の効果】
【００１９】
以上のように、本発明によれば、応答遅れを抑制し、高精度に動力発生部の速度を制御することができる。
【図面の簡単な説明】
【００２０】
【図１】本発明の第１の実施形態に係る、車両動力系の試験装置の構成を示すブロック図である。
【図２】本発明の第２の実施形態に係る、車両動力系の試験装置の構成を示すブロック図である。
【図３】本発明の第３の実施形態に係る、車両動力系の試験装置の構成を示すブロック図である。
【図４】参考例に係る、動力系の試験装置の構成を示すブロック図である。
【発明を実施するための形態】
【００２１】
以下、図面を参照しながら、本発明の実施形態を説明する。
【００２２】
図１は、本発明の第１の実施形態に係る、車両動力系の試験装置の構成を示すブロック図である。この車両動力系の試験装置１００は、主に電気自動車等の車両に搭載されたエンジン及びトランスミッションを含む動力系を試験する試験装置１００である。以下、この車両動力系の試験装置１００を、単に試験装置１００という。
【００２３】
試験装置１００は、動力発生部としてのモータ１１、ダイナモメータ２、吸収側トルク計６、検出器９、制御部５、加速度補正部３及び走行抵抗トルク算出部４を備える。
【００２４】
モータ１１は、供試体１２であるトランスミッションに機械的に接続されており、車両のエンジンを模擬したものである。すなわちモータ１１及び供試体１２は動力の入力側に設けられる。
【００２５】
ダイナモメータ２は、車両及び供試体１２からの動力の伝達軸１３に機械的に接続されており、その動力を吸収する。つまり、ダイナモメータ２は車両の車輪を模擬したものであり、走行時の抵抗を擬似的に再現した抵抗トルクを伝達軸１３に与える。ダイナモメータ２は、このように伝達軸１３を介して供試体１２に接続される形態のほか、供試体１２である機械装置、例えば実車両の駆動輪が乗るローラ等を介して接続されていてもよい。
【００２６】
吸収側トルク計６は、ダイナモメータ２が発生した実トルクを検出する。吸収側トルク計６は、伝達軸１３のねじれ量を検出するものであり、例えば磁気式、静電容量式、ひずみゲージ方式等が用いられる。
【００２７】
本実施形態に係る試験装置１００は、吸収側トルク計６により検出されたダイナモメータ２の実トルク値を用いて、モータ１１の速度を適切に制御することにより、そのモータ１１に供試体１２を介して接続されたダイナモメータ２の速度を適切に制御しようとするものである。
【００２８】
検出器９は、典型的には、ダイナモメータ２の回転角度を検出するレゾルバである。この試験装置１００では、検出された回転角度値は微分され、回転速度（実回転速度）が得られるようになっている。検出器９は、角度検出器であるレゾルバと、レゾルバの出力値を微分して速度（角速度）値を得るための微分器とが一体となったものでもよいし、別体のものでもよい。検出器９は、レゾルバに限られず、ポテンショメータ、ロータリエンコーダ、加速度センサ、角速度センサ等が用いられてもよい。
【００２９】
制御部５は、例えば予め設定された目標速度値Ｖ１を微分することにより加速度値を得る。目標速度値Ｖ１は、ドライバが車両を運転するときの状況を再現するために変化し得るように設定され、つまり加減速を持つように設定される。制御部５は、その加速度値Ａ２に基づき得られた目標トルク値Ｔ１が、吸収側トルク計６により検出された実トルク値Ｔ４に近づくように、ＰＩアンプ５２による比例積分制御によりモータ１１の駆動を制御する。「近づくように」と言う意味は、「一致するように」という意味も含む。
【００３０】
典型的には、モータ１１には図示しないインバータが電気的に接続されており、制御部５は、このインバータにトルク指令値を送ることによりモータ１１に発生させるトルクを制御する。
【００３１】
このように、制御部５は、モータ１１の駆動を制御することで、つまりモータ１１の回転速度を制御することにより、ダイナモメータ２の回転速度を制御することができる。
【００３２】
また、ダイナモメータ２にも図示しないインバータが電気的に接続されている。このインバータは、上記車体慣性量Ｊcによる慣性トルクや、上記走行抵抗トルク値Ｔ２を含む、吸収側の動力を発生させるためのトルク指令を受け、このトルク指令に応じてダイナモメータ２を駆動する。この吸収側の動力には、上記慣性トルクや走行抵抗トルク値Ｔ２のほか、坂道等に起因して車両に発生する重力成分による抵抗トルクも含まれていてもよい。
【００３３】
加速度補正部３は、検出器９により検出された回転速度から、車両の速度を擬似的に再現するためにその速度演算を行う。そして、加速度補正部３は、それにより得られた演算速度値Ｖ２と目標速度値Ｖ１との速度差（加速度）を得、その速度差である補正加速度値Ａ１を用いて加速度値Ａ２を補正する。具体的には、Ｐアンプによる比例制御により、その補正加速度値Ａ１が加速度値Ａ２に加算され、加速度値Ａ３が得られる。つまり、Ａ３＝Ａ２＋Ａ１である。
【００３４】
この加算により得られた加速度値Ａ３に、車両全体の総重量の慣性量である車体慣性量Ｊcが乗じられることにより、加速トルク値Ｔ３が得られる。つまり、Ｔ３＝Ｊc・Ａ３である。
【００３５】
車体慣性量Ｊcの情報は、予め図示しない後述する記憶デバイス（ディスク状の記録媒体または固体メモリ等）に保持されていればよい。
【００３６】
走行抵抗トルク算出部４は、主に上記の演算速度値Ｖ２に比例した空気抵抗による負荷を擬似的に再現した、走行抵抗トルク値Ｔ２を生成する。あるいは、走行抵抗トルク算出部４は、車両のタイヤと路面の摩擦抵抗等を含む転がり抵抗を擬似的に再現したトルク値の情報を予め有し、そのトルク値の情報を、上記空気抵抗によるトルク値に加えて、これを走行抵抗トルク値Ｔ２として生成してもよい。制御部５では、生成された走行抵抗トルク値Ｔ２は、上記加速トルク値Ｔ３に加えられることにより、上記目標トルク値Ｔ１が得られる。つまり、Ｔ１＝Ｔ２＋Ｔ３である。
【００３７】
以上説明した、制御部５、加速度補正部３及び走行抵抗トルク算出部４は、ハードウェアで実現されてもよいし、ソフトウェア及びハードウェアの両方で実現されてもよい。ソフトウェア及びハードウェアの両方で実現される場合、そのハードウェアは、ソフトウェアのプログラムを格納する記憶デバイスを少なくとも含む。
【００３８】
ハードウェアは、典型的には、ＣＰＵ（Central Processing Unit）、ＭＰＵ（Micro Processing Unit）、ＲＡＭ（Random Access Memory）、ＲＯＭ（Read Only Memory）、ＤＳＰ（Digital Signal Processor）、ＦＰＧＡ（Field Programmable Gate Array）、ＡＳＩＣ（Application Specific Integrated Circuit）、光ディスク、磁気ディスク、及びフラッシュメモリ等のうち少なくとも１つが選択的に用いられて構成される。
【００３９】
以上のように構成された試験装置１００の動作を説明する。
【００４０】
目標速度値Ｖ１が制御部５に入力され、制御部５では、入力された目標速度値Ｖ１に基づき、目標トルク値Ｔ１が算出される。また、運転時の抵抗が再現されるように所定のトルク指令によりダイナモメータ２の駆動が制御される。また、目標速度値Ｖ１を微分することにより、加速度値Ａ２が得られる。
【００４１】
走行抵抗トルク算出部４では、検出器９により検出された、ダイナモメータ２の実回転速度に基づく速度演算が実行され、演算速度値Ｖ２が得られる。
【００４２】
加速度補正部３では、目標速度値Ｖ１と演算速度値Ｖ２とが近づくように、その差分（加速度）である補正加速度値Ａ１が、上記微分された加速度値Ａ２に加算され、加速度値Ａ３が得られる。このように、加速度値Ａ２が補正されるので、目標速度値Ｖ１と、実回転速度から得られる車両の速度値（演算速度値）Ｖ２との誤差を小さくすることができる。したがって、高精度な制御が可能となる。
【００４３】
制御部５では、補正により得られた加速度値Ａ３に、車両全体の総重量の慣性量である車体慣性量Ｊcが乗じられることにより、加速トルク値Ｔ３が得られる。また、加速トルク値Ｔ３に、演算速度値Ｖ２に基づく演算により得られる走行抵抗トルク値Ｔ２が加算される。これにより目標トルク値Ｔ１が得られる。
【００４４】
制御部５では、この目標トルク値Ｔ１が、吸収側トルク計６で検出された実トルク値Ｔ４に近づくようにＰＩアンプ５２により制御される。
【００４５】
以上のように、本実施形態では、目標速度値Ｖ１の微分演算により得られた加速度値Ａ２に基づき目標トルク値Ｔ１が算出される。この目標速度値Ｖ１は予め設定された既知の情報であるので、目標速度値Ｖ１が微分された値である加速度値Ａ２もほとんど遅延なく得ることができる値となる。すなわち、実際にダイナモメータ２の加速度値を検出する必要がない。そして、遅延なく得られる加速度値Ａ２に基づき目標トルク値Ｔ１が算出され、算出された目標トルク値Ｔ１が実トルク値Ｔ４に近づくようにモータ１１の駆動が制御されることで、結果的にダイナモメータ２の速度が制御される。つまり、本実施形態では、このように遅延なく得られる加速度値Ａ２を用いて制御が行われることにより、フィードバック制御の応答遅れを抑制することができ、高精度にダイナモメータ２の速度を制御することができる。
【００４６】
図２は、本発明の第２の実施形態に係る車両動力系の試験装置の構成を示すブロック図である。
【００４７】
本実施形態に係る試験装置２００では、動力発生部として、図１に示したようにエンジンを模擬したモータ１１に代えて、実際の自動車のエンジン２１が設けられている。このエンジン２１には、エンジン２１のスロットルの開度を調整するスロットルアクチュエータ２２が接続されている。エンジン２１及びスロットルクアクチュエータ２２のほかの要素は、図１に示した試験装置１００が備える要素と同様のものである。スロットルアクチュエータ２２には、ＰＩアンプ５２からの出力信号が入力され、スロットルアクチュエータ２２の駆動が制御される。
【００４８】
このような構成による試験装置２００によっても、算出された目標トルク値Ｔ１が実トルク値Ｔ４に近づくように、エンジン２１のスロットルの開度がスロットルアクチュエータ２２により制御されることで、結果的にダイナモメータ２の速度が制御される。つまり、本実施形態では、このように遅延なく得られる加速度値Ａ２を用いて制御が行われることにより、フィードバック制御の応答遅れを抑制することができ、高精度にダイナモメータ２の速度を制御することができる。
【００４９】
図３は、本発明の第３の実施形態に係る車両動力系の試験装置の構成を示すブロック図である。
【００５０】
本実施形態に係る試験装置３００では、図２に示したスロットルアクチュエータ２２に代えて、ＥＣＵ（Electronic Control Unit）２３が設けられている。ＥＣＵは、エンジン２１のスロットルの開度の電子制御を行う。エンジン２１及びＥＣＵ２３のほかの要素は、図１に示した試験装置１００が備える要素と同様のものである。ＥＣＵ２３には、ＰＩアンプ５２からの出力信号が入力される。
【００５１】
このような構成による試験装置３００によっても、算出された目標トルク値Ｔ１が実トルク値Ｔ４に近づくように、エンジン２１のスロットルの開度がＥＣＵ２３により制御されることで、結果的にダイナモメータ２の速度が制御される。つまり、本実施形態では、このように遅延なく得られる加速度値Ａ２を用いて制御が行われることにより、フィードバック制御の応答遅れを抑制することができ、高精度にダイナモメータ２の速度を制御することができる。
【００５２】
図２は、参考例に係る、動力系の試験装置の構成を示すブロック図である。この試験装置１０００では、供試体１２であるトランスミッションに、エンジンを模擬したモータ１１が接続され、また、動力の伝達軸１３を介して吸収側トルク計６及びダイナモメータ２が接続されている。ダイナモメータ２には回転角度の検出器９が取り付けられている。検出された、ダイナモメータ２の回転角度から実回転速度、つまり擬似的な車両の速度が算出され、その速度値と目標速度値とが近づくようにＰＩアンプ５２による比例積分制御が行われる。
【００５３】
このような試験装置１０００において、目標速度値が加減速してモータ１１がそれに応じて加減速している途中では、ダイナモメータ２の実回転速度の演算結果が遅れる。つまりフィードバック制御の応答遅れが発生するため、高精度な制御を行うことができない。
【００５４】
これに対して、本発明の実施形態に係る試験装置１００、２００及び３００では、上述のように、制御の応答遅れを抑制することができ、高精度にダイナモメータの速度を制御することができる。
【００５５】
本発明に係る実施形態は、以上説明した実施形態に限定されず、本発明の趣旨を逸脱しない範囲で、他の種々の実施形態に置き換えることができる。
【符号の説明】
【００５６】
Ｖ１…目標速度値
Ａ２…微分により得られた加速度値
Ｔ１…目標トルク値
Ｔ４…実トルク値
Ｊc…車体慣性量
Ｔ２…走行抵抗トルク値
Ｖ２…演算速度値
Ａ１…補正加速度値
Ａ３…加速度値
Ｔ３…加速トルク値
２…ダイナモメータ
３…加速度補正部（補正手段に相当）
４…走行抵抗トルク算出部（走行抵抗トルク算出手段に相当）
５…制御部（制御手段に相当）
６…吸収側トルク計（トルク検出器に相当）
９…検出器
１１…モータ（動力発生部に相当）
１２…供試体
２１…エンジン（動力発生部に相当）
１００、２００、３００…試験装置
【図１】
0005493927.tif 000002
【図２】
0005493927.tif 000003
【図３】
0005493927.tif 000004
【図４】
0005493927.tif 000005